(57)【要約】【課題】中古部品、取り外し部品、純正部品等を取り扱う各種店舗を対象とした部品売買のシステムを構築する。【解決手段】部販販売店側端末３０、販売店側端末４０及び代理店側端末５０に専用回線６０を介して接続されるホストコンピュータ１０により、部品関連データベース２０に、磨耗や損傷等が無く新品同様の中古部品や新車購入時にオプション部品と交換した取り外し部品をリサイクル部品とした純正部品とは異なる口座番号を用いた在庫データと、各種店舗を識別するための販売店コードと、部販販売店側端末３０、販売店側端末４０及び代理店側端末５０等からの発注を受け付けた際の受注データと、発注が行われた後の売上げデータとが登録されるようにし、中古部品、取り外し部品、純正部品の売買が管理されるようにする。【選択図】    図１
2004213295.tif 000002
【特許請求の範囲】
【請求項１】
中古部品、取り外し部品、純正部品の売買を管理する中古部品及び取り外し部品の売買システムであって、
中古部品、取り外し部品、純正部品を取り扱う各種店舗側に設置され、データのやりとりを行う機能を有し、前記中古部品及び取り外し部品の売買に関する機能を実行させるためのシステムが組み込まれている複数の端末と、
前記中古部品、取り外し部品、純正部品の在庫を管理するブランドメーカー側に設置され、前記複数の端末にネットワークを介して接続されるとともに、前記中古部品、取り外し部品、純正部品の在庫管理と前記複数の端末からの発注データに基づいた前記中古部品、取り外し部品、純正部品の出庫管理とを行う機能を有するホストコンピュータと、
在庫データ、販売店コード、受注データ、売上げデータが登録される部品関連データベースとを備え、
前記ホストコンピュータは、前記部品関連データベースに、磨耗や損傷等が無く新品同様の中古部品や新車購入時にオプション部品と交換した取り外し部品をリサイクル部品とした前記純正部品とは異なる口座番号を用いた前記在庫データと、前記各種店舗を識別するための前記販売店コードと、発注を受け付けた際の前記受注データと、発注が行われた後の前記売上げデータとを登録する
ことを特徴とする中古部品及び取り外し部品の売買システム。
【請求項２】
前記ホストコンピュータは、
前記複数の端末からの要求により、前記部品関連データベースに登録されている在庫データに関する在庫情報を提供する在庫情報提供部と、
前記複数の端末からの中古部品、取り外し部品、純正部品のいずれかの発注を受け付ける発注受付部と、
同時に同一のリサイクル部品に対しての発注があった場合に、その発注を受け付ける際の優先順位を、前記販売店コードの有無、中古部品及び取り外し部品の売買に関する機能を実行させるためのシステムが組み込まれているかどうか、発注順によって判断する優先順位判断部と、
前記発注受付部によって受け付けられた発注を、前記部品関連データベースに受注データとして登録する発注受付管理部と、
前記部品関連データベースへの受注データの登録が完了すると、出庫指示を示す情報を出力する出庫指示情報出力部と、
前記発注のあったリサイクル部品に対して不具合があり、受注取り消し指示が出されると、前記受注データの消去又は変更を行う発注変更受付部とを備える
ことを特徴とする請求項１に記載の中古部品及び取り外し部品の売買システム。
【請求項３】
前記純正部品の販売口座は、主ナンバーと、機種記号と、種別番号とからなり、前記リサイクル部品の販売口座は、前記主ナンバーに前記リサイクル部品を示す記号が付けられた前記主ナンバーと、前記機種記号と、前記リサイクル部品の状態を示す補足番号とからなることを特徴とする請求項１又は２に記載の中古部品及び取り外し部品の売買システム。
【請求項４】
中古部品、取り外し部品、純正部品の売買を管理する中古部品及び取り外し部品の売買方法であって、
前記中古部品及び取り外し部品の売買に関する機能を実行させるためのシステムが組み込まれている複数の端末により、データのやりとりが行われる工程と、
前記複数の端末にネットワークを介して接続されるホストコンピュータにより、前記中古部品、取り外し部品、純正部品の在庫の管理と、前記複数の端末からの発注データに基づいた前記中古部品、取り外し部品、純正部品の出庫管理とが行われる工程とを有し、
前記ホストコンピュータにより、前記部品関連データベースに、磨耗や損傷等が無く新品同様の中古部品や新車購入時にオプション部品と交換した取り外し部品をリサイクル部品とした前記純正部品とは異なる口座番号を用いた前記在庫データと、前記各種店舗を識別するための前記販売店コードと、発注を受け付けた際の前記受注データと、発注が行われた後の前記売上げデータとが登録される
ことを特徴とする中古部品及び取り外し部品の売買方法。
【請求項５】
在庫情報提供部により、前記複数の端末からの要求があると、前記部品関連データベースに登録されている在庫データに関する在庫情報が提供される工程と、
発注受付部により、前記複数の端末からの中古部品、取り外し部品、純正部品のいずれかの発注が受け付けられる工程と、
優先順位判断部により、同時に同一のリサイクル部品に対しての発注があった場合に、その発注を受け付ける際の優先順位が、前記販売店コードの有無、中古部品及び取り外し部品の売買に関する機能を実行させるためのシステムが組み込まれているかどうか、発注順によって判断される工程と、
発注受付管理部により、前記発注受付部によって受け付けられた発注が、前記部品関連データベースに受注データとして登録される工程と、
出庫指示情報出力部により、前記部品関連データベースへの受注データの登録が完了すると、出庫指示を示す情報が出力される工程と、
発注変更受付部により、前記発注のあったリサイクル部品に対して不具合があり、受注取り消し指示が出されると、前記受注データの消去又は変更が行われる工程とを有する
ことを特徴とする請求項４に記載の中古部品及び取り外し部品の売買方法。
【請求項６】
前記純正部品の販売口座は、主ナンバーと、機種記号と、種別番号とからなり、前記リサイクル部品の販売口座は、前記主ナンバーに前記リサイクル部品を示す記号が付けられた前記主ナンバーと、前記機種記号と、前記リサイクル部品の状態を示す補足番号とからなることを特徴とする請求項４又は５に記載の中古部品及び取り外し部品の売買方法。
【発明の詳細な説明】
【０００１】
【発明の属する技術分野】
本発明は、車両の中古部品や取り外し部品の有効利用に適した中古部品及び取り外し部品の売買システムに関する。
【０００２】
【従来の技術】
中古車として解体業者に持ち込まれる車の部品には、磨耗や損傷等が無く新品同様の部品がある。また、新車購入時にオプション部品と交換した標準部品が販売店や整備工場で廃棄されている。このように、新品同様の部品やオプション部品と交換した標準部品を廃棄することは、資源の無駄である。
そこで、特許文献１では、販売対象となる自動車の取外部品に関する情報を取外部品販売データベースに記憶させ、取外部品の販売を適正に行う企業の情報を企業情報（会員情報）データベースに記憶させ、制御手段により、取外部品の販売希望者端末から取外部品に関する特定のカテゴリ情報が送信された場合に、企業情報データベースに基づいて販売希望者が企業に該当するかを判定し、企業に該当すると判定した場合には、端末から送信された取外部品に関する情報を取外部品販売データベースに格納するようにすることで、取外部品の販売を適正に行う企業による取外部品及びオプション品からなる取外部品の売買を合わせて行えるとともに、取外部品の状態に応じた売買が可能な流通システムを提案している。
【０００３】
【特許文献１】
特開２００２−１０９１４８
【０００４】
【発明が解決しようとする課題】
ところが、上述した特許文献１では、取外部品の状態に応じた売買が可能となっているものの、中古部品、取り外し部品、純正部品等を取り扱う各種店舗を対象とした部品売買のシステムが構築されていない。
【０００５】
本発明は、このような状況に鑑みてなされたものであり、中古部品、取り外し部品、純正部品等を取り扱う各種店舗を対象とした部品売買のシステムを構築することができる中古部品及び取り外し部品の売買システムを提供することができるようにするものである。
【０００６】
【課題を解決するための手段】
本発明の中古部品及び取り外し部品の売買システムは、中古部品、取り外し部品、純正部品の売買を管理する中古部品及び取り外し部品の売買システムであって、中古部品、取り外し部品、純正部品を取り扱う各種店舗側に設置され、データのやりとりを行う機能を有し、中古部品及び取り外し部品の売買に関する機能を実行させるためのシステムが組み込まれている複数の端末と、中古部品、取り外し部品、純正部品の在庫を管理するブランドメーカー側に設置され、複数の端末にネットワークを介して接続されるとともに、中古部品、取り外し部品、純正部品の在庫管理と複数の端末からの発注データに基づいた中古部品、取り外し部品、純正部品の出庫管理とを行う機能を有するホストコンピュータと、在庫データ、販売店コード、受注データ、売上げデータが登録される部品関連データベースとを備え、ホストコンピュータは、部品関連データベースに、磨耗や損傷等が無く新品同様の中古部品や新車購入時にオプション部品と交換した取り外し部品をリサイクル部品とした純正部品とは異なる口座番号を用いた在庫データと、各種店舗を識別するための販売店コードと、発注を受け付けた際の受注データと、発注が行われた後の売上げデータとを登録することを特徴とする。
また、ホストコンピュータは、複数の端末からの要求により、部品関連データベースに登録されている在庫データに関する在庫情報を提供する在庫情報提供部と、複数の端末からの中古部品、取り外し部品、純正部品のいずれかの発注を受け付ける発注受付部と、同時に同一のリサイクル部品に対しての発注があった場合に、その発注を受け付ける際の優先順位を、販売店コードの有無、中古部品及び取り外し部品の売買に関する機能を実行させるためのシステムが組み込まれているかどうか、発注順によって判断する優先順位判断部と、発注受付部によって受け付けられた発注を、部品関連データベースに受注データとして登録する発注受付管理部と、部品関連データベースへの受注データの登録が完了すると、出庫指示を示す情報を出力する出庫指示情報出力部と、発注のあったリサイクル部品に対して不具合があり、受注取り消し指示が出されると、受注データの消去又は変更を行う発注変更受付部とを備えるようにすることができる。
また、純正部品の販売口座は、主ナンバーと、機種記号と、種別番号とからなり、リサイクル部品の販売口座は、主ナンバーにリサイクル部品を示す記号が付けられた主ナンバーと、機種記号と、リサイクル部品の状態を示す補足番号とからなるようにすることができる。
本発明の中古部品及び取り外し部品の売買方法は、中古部品、取り外し部品、純正部品の売買を管理する中古部品及び取り外し部品の売買方法であって、中古部品及び取り外し部品の売買に関する機能を実行させるためのシステムが組み込まれている複数の端末により、データのやりとりが行われる工程と、複数の端末にネットワークを介して接続されるホストコンピュータにより、中古部品、取り外し部品、純正部品の在庫の管理と、複数の端末からの発注データに基づいた中古部品、取り外し部品、純正部品の出庫管理とが行われる工程とを有し、ホストコンピュータにより、部品関連データベースに、磨耗や損傷等が無く新品同様の中古部品や新車購入時にオプション部品と交換した取り外し部品をリサイクル部品とした純正部品とは異なる口座番号を用いた在庫データと、各種店舗を識別するための販売店コードと、発注を受け付けた際の受注データと、発注が行われた後の売上げデータとが登録されることを特徴とする。
また、在庫情報提供部により、複数の端末からの要求があると、部品関連データベースに登録されている在庫データに関する在庫情報が提供される工程と、発注受付部により、複数の端末からの中古部品、取り外し部品、純正部品のいずれかの発注が受け付けられる工程と、優先順位判断部により、同時に同一のリサイクル部品に対しての発注があった場合に、その発注を受け付ける際の優先順位が、販売店コードの有無、中古部品及び取り外し部品の売買に関する機能を実行させるためのシステムが組み込まれているかどうか、発注順によって判断される工程と、発注受付管理部により、発注受付部によって受け付けられた発注が、部品関連データベースに受注データとして登録される工程と、出庫指示情報出力部により、部品関連データベースへの受注データの登録が完了すると、出庫指示を示す情報が出力される工程と、発注変更受付部により、発注のあったリサイクル部品に対して不具合があり、受注取り消し指示が出されると、受注データの消去又は変更が行われる工程とを有するようにすることができる。
また、純正部品の販売口座は、主ナンバーと、機種記号と、種別番号とからなり、リサイクル部品の販売口座は、主ナンバーにリサイクル部品を示す記号が付けられた主ナンバーと、機種記号と、リサイクル部品の状態を示す補足番号とからなるようにすることができる。
【０００７】
【発明の作用効果】
本発明に係る中古部品及び取り外し部品の売買システムにおいては、複数の端末にネットワークを介して接続されるホストコンピュータにより、部品関連データベースに、磨耗や損傷等が無く新品同様の中古部品や新車購入時にオプション部品と交換した取り外し部品をリサイクル部品とした純正部品とは異なる口座番号を用いた在庫データと、各種店舗を識別するための販売店コードと、複数の端末からの発注を受け付けた際の受注データと、発注が行われた後の売上げデータとが登録されるようにし、中古部品、取り外し部品、純正部品の売買が管理されるようにしたので、中古部品、取り外し部品、純正部品等を取り扱う各種店舗を対象とした部品売買のシステムを構築することができる。
【０００８】
【発明の実施の形態】
以下、本発明の実施の形態について説明する。
図１は、本発明の中古部品及び取り外し部品の売買システム一実施の形態に係る概念を説明するための図、図２は、図１のホストコンピュータの詳細を説明するための図、図３〜図６は、図１の中古部品及び取り外し部品の売買システムによる中古部品及び取り外し部品の売買方法を説明するための図である。
図１に示す中古部品及び取り外し部品の売買システムは、ホストコンピュータ１０、部品関連データベース２０、部販販売店側端末３０、販売店側端末４０及び代理店側端末５０を備えている。また、これらホストコンピュータ１０と、部販販売店側端末３０、販売店側端末４０及び代理店側端末５０とは、ネットワークとして、たとえば専用回線６０を介して相互に通信できるように接続されている。ネットワークとしては、専用回線６０に限らず、インターネット等の他の回線を用いてもよい。
【０００９】
ホストコンピュータ１０は、中古部品、取り外し部品及び純正部品等を管理するブランドメーカー側に設置されるものであり、専用回線６０を介し、部販販売店側端末３０、販売店側端末４０及び代理店側端末５０との間でデータのやりとりを行う機能と、部品関連データベース２０に対する各種データの登録及び読み出しを行う機能等とを有しているが、その詳細は後述する。
部品関連データベース２０には、後述の図２に示すように、在庫データ、販売店コード、受注データ、売上げデータ等が登録される。ここで、在庫データとは、車両の中古部品、取り外し部品、純正部品を示す販売口座のデータと、それぞれの販売口座の価格を示すデータ等である。販売口座とは、補修部品リスト（パーツリスト）に載せられる数字やアルファベット等からなる補修部品の番号である。
【００１０】
車両の中古部品や取り外し部品の販売口座は、たとえば図３に示すように、（主ナンバー）−（機種記号）−（種別番号）−（補足番号）で構成されている。主ナンバーに付けられているＲは、車両の中古部品や取り外し部品をリサイクル部品として識別させるための識別記号である。これにより、純正部品との区別が付けられる。また、補足番号の１行目は品質ランクを表し、２行目は色の有無を表している。ここで、中古部品とは、解体業者からの磨耗や損傷等が無く新品同様の部品であり、取り外し部品とは、新車購入時にオプション部品と交換した標準部品である。
ちなみに、純正部品とは、新車の上市時から在庫となっている部品であり、その部品の販売口座はたとえば図４に示すように、（主ナンバー）−（機種記号）−（種別番号）で構成されている。また、それぞれのリサイクル部品の販売口座の価格は、純正部品の価格に対して一定率安く設定されている。このように、主ナンバーに付けられているＲの有無により、車両の中古部品や取り外し部品と、純正部品との識別が容易となっている。
【００１１】
また、販売店コードとは、部販販売店、販売店及び代理店のそれぞれを識別するために設けられているコードである。また、この販売店コードは、ホストコンピュータ１０に繋がる端末を有していない部販販売店、販売店及び代理店に対しても設けられている。このように、各部販販売店、販売店及び代理店のそれぞれに販売店コードを付すことで、中古部品及び取り外し部品の売買管理が行われることにより、エンドユーザに対する信頼性を保持することが可能となる。
受注データとは、中古部品、取り外し部品、純正部品を取り扱う各部販販売店、販売店及び代理店からの発注のあった販売口座を示すデータであり、たとえば図３及び図４の主ナンバーを示すものである。
売上げデータとは、発注があった各部販販売店、販売店及び代理店のいずれかにリサイクル部品や純正部品が配送された場合に登録されるデータである。
部販販売店側端末３０は、カーアクセサリー等のカー用品を取り扱う店舗側が保有する端末であり、部販販売店毎に複数設けられているとともに、専用回線６０を介してのデータのやりとりを行う機能を有している。
【００１２】
販売店側端末４０は、カーディーラ側が保有する端末であり、販売店毎に複数設けられているとともに、専用回線６０を介してのデータのやりとりを行う機能を有している。
代理店側端末５０は、二輪車部品の卸店等が保有する端末であり、代理店毎に複数設けられているとともに、専用回線６０を介してのデータのやりとりを行う機能を有している。
なお、これら部販販売店側端末３０、販売店側端末４０及び代理店側端末５０には、中古部品及び取り外し部品の売買に関する機能を実行させるためのシステム（プログラム）が組み込まれている。
【００１３】
次に、ホストコンピュータ１０の詳細について説明する。
図２に示すように、ホストコンピュータ１０は、在庫情報提供部１１、発注受付部１２、優先順位判断部１３、発注受付管理部１４、出庫指示情報出力部１５及び発注変更受付部１６を備えている。
在庫情報提供部１１は、部販販売店側端末３０、販売店側端末４０及び代理店側端末５０からの要求により、部品関連データベース２０に登録されている在庫データに関する在庫情報を提供する。発注受付部１２は、部販販売店側端末３０、販売店側端末４０及び代理店側端末５０からの中古部品、取り外し部品、純正部品のいずれかの発注を受け付ける。また、ホストコンピュータ１０に繋がる端末を有していない部販販売店、販売店及び代理店からの発注が電話又はｆａｘ等であった場合、その発注がホストコンピュータ１０に入力されることで、発注を受け付けることができる。
【００１４】
優先順位判断部１３は、各部販販売店、販売店及び代理店から同時に同一のリサイクル部品に対しての発注があった場合に、その発注を受け付ける際の優先順位を判断するものである。ここで、優先順位は、中古部品や取り外し部品であるリサイクル部品の在庫が限られているために設けられているものであり、販売店コードの有無、中古部品及び取り外し部品の売買に関する機能を実行させるためのシステムが組み込まれているかどうか、発注順等によって決定される。
発注受付管理部１４は、発注受付部１２によって受け付けられた発注を、部品関連データベース２０に受注データとして登録する。また、発注受付管理部１４は、同時に同一のリサイクル部品に対しての発注があり、優先順位判断部１３にによって優先順位が高いと判断された発注を、部品関連データベース２０に受注データとして登録する。また、発注受付管理部１４は、優先順位判断部１３によって優先順位が低いと判断された各部販販売店、販売店及び代理店からの発注や、販売店コードが登録されていない対象外店からの発注や問い合わせに対し、その注文を受け付けることができない旨を通知する。
【００１５】
出庫指示情報出力部１５は、部品関連データベース２０への受注データの登録が完了すると、出庫指示を示す情報を出力する。出庫指示を示す情報として、たとえば出庫伝票が出力される。この出庫伝票には、リサイクル部品の場合、請求明細書と受領書とが含まれ、純正部品の場合、通常の売上げ伝票が含まれる。
発注変更受付部１６は、出庫直前に目視による品質確認が行われ、仮に変形等の不具合が発見された場合や、各部販販売店、販売店及び代理店からの返品等を受け付けた場合に出される受注取り消し指示に基づき、部品関連データベース２０に登録されている受注データの消去又は変更等を行う。
【００１６】
次に、中古部品及び取り外し部品の売買方法について説明する。
まず、図５及び図６に示すように、解体業者から購入した中古部品は品質検査をした上で在庫する（ステップＳ１）。また、たとえば販売店にて新車購入時にオプション部品と交換した標準部品も品質検査をした上で購入し在庫する。在庫する際には、部品関連データベース２０に、図３で説明した主ナンバーにＲが付けられた（主ナンバー）−（機種記号）−（種別番号）−（補足番号）で構成される販売口座とその価格とが在庫データとして登録される（ステップＳ２）。このように、主ナンバーにＲが付けられることで、上述したように、リサイクル部品の販売口座と純正部品の販売口座との識別が付けられる。
また、各部販販売店、販売店及び代理店については、上述したように、エンドユーザに対する信頼性を保持するために、販売店コードを割り当てるとともに、その販売店コードを部品関連データベース２０に登録する（ステップＳ３）。
【００１７】
このように、在庫データが部品関連データベース２０に登録されることで、部販販売店側端末３０、販売店側端末４０及び代理店側端末５０からの要求により、在庫情報の提供が可能となる。また、部品関連データベース２０にオンラインで繋がる端末を保有していない販売店に対しては、在庫情報の入った機関紙（パーツニュース）を配布することもできる。
そして、部販販売店側端末３０、販売店側端末４０及び代理店側端末５０のいずれかから在庫情報の要求があると（ステップＳ４）、在庫情報提供部１１により、要求のあった部販販売店側端末３０、販売店側端末４０及び代理店側端末５０のいずれかに、在庫情報が提供される（ステップＳ５）。
【００１８】
この在庫情報によって、各部販販売店、販売店及び代理店のいずれかでは、中古部品、取り外し部品、純正部品のいずれかの在庫を確認することができる。また、その在庫情報には、中古部品、取り外し部品、純正部品の価格も含まれているため、リサイクル部品と純正部品の購入価格を比較することもできる。ちなみに、リサイクル部品は、上述したように、純正部品より一定率安く設定されている（たとえば３０％レス）。
ここで、部販販売店側端末３０、販売店側端末４０及び代理店側端末５０のいずれかから中古部品、取り外し部品、純正部品のいずれかの発注があると（ステップＳ６）、発注受付部１２により、その発注が受け付けられる（ステップＳ７）。そして、発注受付管理部１４により、発注受付部１２によって受け付けられた発注が、部品関連データベース２０に受注データとして登録される（ステップＳ１０）。このとき、同時に同一のリサイクル部品に対しての発注がある場合、優先順位判断部１３によって優先順位が高いと判断された発注が、部品関連データベース２０に受注データとして登録される（ステップＳ８〜Ｓ１０）。
【００１９】
ここでの優先順位は、上述したように、中古部品や取り外し部品であるリサイクル部品の在庫が限られているために設けられているものであり、販売店コードの有無、中古部品及び取り外し部品の売買に関する機能を実行させるためのシステムが組み込まれているかどうか、発注順等によって決定される。また、発注受付管理部１４により、優先順位判断部１３によって優先順位が低いと判断された各部販販売店、販売店及び代理店からの発注や、販売店コードが登録されていない対象外店からの発注や問い合わせに対し、その注文を受け付けることができない旨が通知される。
次いで、部品関連データベース２０への受注データの登録が完了すると、出庫指示情報出力部１５により、出庫指示を示す情報が出力される（ステップＳ１１）。ここでは、たとえば出庫伝票が出力される。この出庫伝票には、リサイクル部品の場合、請求明細書と受領書とが含まれ、純正部品の場合、通常の売上げ伝票が含まれる。そして、その出庫伝票に基づいた出庫作業が行われる（ステップＳ１２）。ここでは、リサイクル部品の安い価格を保持するために、中間の流通（部品販売）を省き、直接、各部販販売店、販売店及び代理店との取り引きを行うことが好ましい。そのため、リサイクル部品には、上述した請求明細書と受領書とを用いることで、純正部品で用いられる売上げ伝票との区別が付けられている。ちなみに、リサイクル部品の請求明細書及び受領書には、図３で説明したＲを含む主ナンバーが記載され、純正部品の売上げ伝票には図４で説明したＲを含まない主ナンバーが記載されている。
【００２０】
また、出庫作業において、リサイクル部品の場合は、出庫直前に目視による品質確認も行われる。ここで、仮に変形等の不具合が発見された場合は、受注取り消し指示が行われる（ステップＳ１３，Ｓ１４）。この場合、発注変更受付部１６により、部品関連データベース２０に登録されている受注データのうち、受注取り消し指示に対応する受注データが消去される。なお、消去に限らず、その受注データに受注取り消し指示を示すデータを付加するようにしてもよい（ステップＳ１５）。また、受注取り消し指示を受けたリサイクル部品の代わりがある場合には、発注変更受付部１６により、部品関連データベース２０に新たな受注データが登録されるようにしてもよい。この場合、受注データに付加された受注取り消し指示を示すデータを消去するか、又は代替えを示すデータに置き換えるようにしてもよい。
【００２１】
これに対し、（ステップＳ１３）で変形等の不具合が発見されなかった場合やリサイクル部品の代わりがある場合には、たとえばリサイクル部品が物流業者によって各部販販売店、販売店及び代理店のいずれかに配送されると、各部販販売店、販売店及び代理店のいずれかにリサイクル部品と請求明細書及び受領書とが渡される。リサイクル部品を受け取った各部販販売店、販売店及び代理店のいずれかでは、受領書にサインして物流業者に渡す（ステップＳ１６）。
ここで、リサイクル部品を受け取った各部販販売店、販売店及び代理店のいずれかでは、部販販売店側端末３０、販売店側端末４０及び代理店側端末５０のいずれかにより、ホストコンピュータ１０にアクセスし、たとえば請求明細書に記載されている主ナンバーを入力して価格等の確認を行う。これにより、受け取ったリサイクル部品に間違いがあるかどうかを確認することができる。
【００２２】
一方、各部販販売店、販売店及び代理店のいずれかで、リサイクル部品を確認し、仮に変形等の不具合が発見された場合は返品依頼書及び異常搬入報告書を付して返品することができるようにしてもよい（ステップＳ１７）。返品依頼書及び異常搬入報告書は、任意のフォーマットであってもよいし、予め用意されているものであってもよい。このような返品依頼書及び異常搬入報告書がブランドメーカー側に届けられ、ホストコンピュータ１０にその内容が登録されると、上述した発注変更受付部１６により、部品関連データベース２０に登録されている受注データの消去又は変更が行われる（ステップＳ１８）。
なお、その返品依頼書及び異常搬入報告書が販売店コードとして登録されていない店からのものであった場合には、部品関連データベース２０にたとえば  ”タイショウガイテン”と登録される（ステップＳ１９，Ｓ２０）。このとき、部品関連データベース２０に返品の売上金額が赤字（マイナス）表示される（ステップＳ２１）。また、返品分の請求明細書及び受領書は、返品のあった各部販販売店、販売店及び代理店のいずれかに送付される（ステップＳ２２）。
【００２３】
請求明細書及び受領書を受け取った各部販販売店、販売店及び代理店のいずれかでは、部販販売店側端末３０、販売店側端末４０及び代理店側端末５０のいずれかでホストコンピュータ１０にアクセスし、部品関連データベース２０と照合し、仕入れマイナスを計上する（ステップＳ２３）。なお、ブランドメーカー側における売上げの請求は、１回／月で行われるようにしてもよい。この場合、部品関連データベース２０に登録されている販売店コード、受注データ、売上げデータを基に、売上げ請求明細書及び売上げ総括書を印刷し、購入店に送付するようにする（ステップＳ２４）。
【００２４】
このように、本実施の形態では、部販販売店側端末３０、販売店側端末４０及び代理店側端末５０に専用回線６０を介して接続されるホストコンピュータ１０により、部品関連データベース２０に、磨耗や損傷等が無く新品同様の中古部品や新車購入時にオプション部品と交換した取り外し部品をリサイクル部品とした純正部品とは異なる口座番号を用いた在庫データと、各種店舗を識別するための販売店コードと、部販販売店側端末３０、販売店側端末４０及び代理店側端末５０等からの発注を受け付けた際の受注データと、発注が行われた後の売上げデータとが登録されるようにし、中古部品、取り外し部品、純正部品の売買が管理されるようにしたので、中古部品、取り外し部品、純正部品等を取り扱う各種店舗を対象とした部品売買のシステムを構築することができる。
【００２５】
また、部販販売店側端末３０、販売店側端末４０及び代理店側端末５０として、既存のディスクトップパソコン、ノートパソコン、ＰＤＡを用いることができ、それらに中古部品及び取り外し部品の売買に関する機能を実行させるためのシステム（プログラム）を組み込むとともに、リサイクル部品の販売口座にＲの識別記号を付加することで、特別なシステム投資を要せずに売買システムを構築することができる。
【図面の簡単な説明】
【図１】本発明の中古部品及び取り外し部品の売買システム一実施の形態に係る概念を説明するための図である。
【図２】図１のホストコンピュータの詳細を説明するための図である。
【図３】図１の中古部品及び取り外し部品の売買システムによる中古部品及び取り外し部品の売買方法を説明するためのリサイクル部品の販売口座を示す図である。
【図４】図１の中古部品及び取り外し部品の売買システムによる中古部品及び取り外し部品の売買方法を説明するための純正部品の販売口座を示す図である。
【図５】図１の中古部品及び取り外し部品の売買システムによる中古部品及び取り外し部品の売買方法を説明するためのフローチャートである。
【図６】図１の中古部品及び取り外し部品の売買システムによる中古部品及び取り外し部品の売買方法を説明するためのフローチャートである。
【符号の説明】
１０  ホストコンピュータ
１１  在庫情報提供部
１２  発注受付部
１３  優先順位判断部
１４  発注受付管理部
１５  出庫指示情報出力部
１６  発注変更受付部
２０  部品関連データベース
３０  部販販売店側端末
４０  販売店側端末
５０  代理店側端末
６０  専用回線
【図１】
2004213295.tif 000003
【図２】
2004213295.tif 000004
【図３】
2004213295.tif 000005
【図４】
2004213295.tif 000006
【図５】
2004213295.tif 000007
【図６】
2004213295.tif 000008